(57)【要約】【課題】  光を反射して夜間の視認性にすぐれ、交通事故から身を守るために役立つパスケースを提供する。【解決手段】  定期券収納部が設けられたケース本体部と、上記ケース本体部に対し折り畳み可能なケースカバー部とを有し、上記ケース本体部と上記ケースカバー部のそれぞれの外面部に反射シートが設けられている。上記定期券収納部は上記ケース本体部の内外両側にそれぞれ仕切板を介して形成され、上記仕切板の外側に形成された上記定期券収納部の外面部に方形の反射シートが配置され、上記反射シートの中央部に長円形の指挿通孔が形成されると共に、上記ケースカバー部の外面部における中央部に長円形の反射シートが配置されている。上記反射シートは、異なる方向へ向いた多数のマイクロプリズムを用いて形成されている。【選択図】  図１
0003130906.tif 000002
【実用新案登録請求の範囲】
【請求項１】
定期券収納部が設けられたケース本体部と、上記ケース本体部に対し折り畳み可能なケースカバー部とを有し、
上記ケース本体部と上記ケースカバー部のそれぞれの外面部に反射シートが設けられていることを特徴とするパスケース。
【請求項２】
上記定期券収納部は上記ケース本体部の内外両側にそれぞれ仕切板を介して形成され、上記仕切板の外側に形成された上記定期券収納部の外面部に方形の反射シートが配置され、上記反射シートの中央部に長円形の指挿通孔が形成されると共に、上記ケースカバー部の外面部における中央部に長円形の反射シートが配置されていることを特徴とする請求項１記載のパスケース。
【請求項３】
上記反射シートは、異なる方向へ向いた多数のマイクロプリズムを用いて形成されていることを特徴とする請求項１又は２記載のパスケース。
【請求項４】
上記ケース本体部と上記ケースカバー部には折畳み状態で係合可能な雌雄一対のホックが設けられていることを特徴とする請求項１〜３のいずれか１項記載のパスケース。
【請求項５】
上記ケース本体部と上記ケースカバー部の折曲部位には吊り下げ用のストラップが接続されていることを特徴とする請求項１〜４のいずれか１項記載のパスケース。
【考案の詳細な説明】
【技術分野】
【０００１】
本考案はパスケースに係り、特に、夜間の視認性にすぐれて、交通事故から身を守るために役立つパスケースに関する。
【背景技術】
【０００２】
塾などに通って夜遅く帰宅する学童は多い。夜間は自動車のドライバーの視界が悪く、道端を歩く学童を視認しにくいので、自動車が歩行中の学童に接触して、学童が交通事故に巻き込まれるという危険がある。
【０００３】
従来、上記のような交通事故から学童を保護するために、学童が背負うランドセルのカバー部などに、自動車のヘッドライトが照射した場合に光を反射させる反射板が取り付けられることがあった。
上記のように反射板を取り付けたランドセルは、上記反射板により反射された光がドライバーに視認されやすく、ドライバーの注意を喚起しやすいので、交通事故の予防に効果的である。
【０００４】
しかしながら、上記のような反射板付きランドセルは嵩張ることから、夜間に常に携帯することは煩雑であり、より携帯性の良いものが要望されている。
【０００５】
また、従来、反射板付きの定期券入れが開示されている（実開昭５９−１１４０１４号公報）。上記定期券入れは、公報の図面に示されたように、両面が反射する合成樹脂製の反射板が定期券収納部とカバー部との間に設けられた構造を有している。
上記公知例の定期券入れの反射板は、自動車のヘッドライトを反射するためには、反射板を露呈させておく必要があるが、上記反射板を露呈させておくには、定期券収納部とカバー部を常に開いた状態で保持していなければならないので煩雑である、という不具合がある。
【考案の開示】
【考案が解決しようとする課題】
【０００６】
本考案の課題は、夜間の視認性にすぐれて、交通事故から身を守るために役立ち、機能を発揮させるために煩雑な作業を必要としないパスケースを提供することにある。
【課題を解決するための手段】
【０００７】
上記課題を解決するために、本考案に係るパスケースは、定期券収納部が設けられたケース本体部と、上記ケース本体部に対し折り畳み可能なケースカバー部とを有し、上記ケース本体部と上記ケースカバー部のそれぞれの外面部に反射シートが設けられていることを特徴とする。
【０００８】
すなわち、本考案に係る上記パスケースにあっては、当該パスケースを夜間などに外部に露呈した状態で保持していると、上記ケース本体部と上記ケースカバー部のそれぞれの外面部に設けられた反射シートに、自動車のヘッドライトが当たった際に、その光が反射され、その反射光がドライバーの目に入り視認される。これにより、ドライバーの注意力が喚起され、ドライバーは安全運転を心がけるようになる。
【０００９】
また、本考案に係る上記パスケースは、上記定期券収納部は上記ケース本体部の内外両側にそれぞれ仕切板を介して形成され、上記仕切板の外側に形成された上記定期券収納部の外面部に方形の反射シートが配置され、上記反射シートの中央部に長円形の指挿通孔が形成されると共に、上記ケースカバー部の外面部における中央部に長円形の反射シートが配置されていることを特徴とする。
【００１０】
すなわち、本考案に係る上記パスケースにあっては、上記ケース本体部に自動車のヘッドライトが当たった際に、上記仕切板の外側に形成された上記定期券収納部の外面部に配置された方形の上記反射シートにも光が当たって反射する。
また、上記ケースカバー部に自動車のヘッドライトが当たると、上記ケースカバー部の外面部における中央部に配置された長円形の上記反射シートにも光が当たって反射することになる。
【００１１】
また、本考案に係る上記パスケースは、上記記反射シートが、異なる方向へ向いた多数のマイクロプリズムを用いて形成されていることを特徴とする。
【００１２】
すなわち、本考案に係る上記パスケースにあっては、上記マイクロプリズムを用いたことにより、反射光がいろいろな方向へ散乱させられるので、反射角度が広くなり、かつ反射輝度も高くなり、視認性が向上する。
【００１３】
また、本考案に係る上記パスケースは、上記ケース本体部の内面側に形成された上記定期券収納部には透明な窓部が設けられると共に上記仕切板も透明に形成され、上記窓部と上記仕切板を通して、上記仕切板の外側に設けられた上記反射シートを、ケース本体部の内面側から透視しうるように形成されていることを特徴とする。
【００１４】
また、本考案に係る上記パスケースは、上記ケース本体部と上記ケースカバー部には折畳み状態で係合可能な雌雄一対のホックが設けられていることを特徴とする。
【００１５】
すなわち、本考案に係る上記パスケースにあっては、上記ケース本体部と上記ケースカバー部とを折り畳んだ状態で、上記雌雄一対のホックを係合させることにより、折畳み状態を固定することができる。
【００１６】
また、本考案に係る上記パスケースは、上記ケース本体部と上記ケースカバー部の折曲部位には吊り下げ用のストラップが接続されていることを特徴とする。
【００１７】
すなわち、本考案に係る上記パスケースにあっては、上記ストラップを利用して吊り下げることができるので、例えば、バッグや衣服のベルトに上記ストラップを用いて繋ぎ留めることにより、外部に露呈させた状態で吊り下げることができる。
【考案の効果】
【００１８】
請求項１記載の本考案に係るパスケースは、定期券収納部が設けられたケース本体部と、上記ケース本体部に対し折り畳み可能なケースカバー部とを有し、上記ケース本体部と上記ケースカバー部のそれぞれの外面部に反射シートが設けられていることから、学童等が暗闇で当該パスケースを所持すれば、上記反射シートに自動車のヘッドライトが照射した際に、その光が反射されてドライバーにより視認されるので、ドライバーの注意を喚起して安全運転を行わせることができる。したがって、学童等が自動車に接触して交通事故に巻き込まれる可能性が減少し安全性が向上する。また、パスケースはランドセル等に比べコンパクトであることから携帯性が良く、所持するのが煩雑でない。また、上記ケース本体部と上記ケースカバー部は折畳んだ状態であっても、いずれかの外面部に設けられた反射シートが常に露呈して光を反射しうる状態にあるので、上記公知例のようにケース本体部とケースカバー部とを開いた状態で保持しなければならぬような煩雑さがない。
【００１９】
請求項２記載の本考案に係るパスケースは、上記定期券収納部は上記ケース本体部の内外両側にそれぞれ仕切板を介して形成され、上記仕切板の外側に形成された上記定期券収納部の外面部に方形の反射シートが配置され、上記反射シートの中央部に長円形の指挿通孔が形成されると共に、上記ケースカバー部の外面部における中央部に長円形の反射シートが配置されていることから、上記定期券収納部と上記反射シートとを支障なく併設することができとともに、上記指挿通孔から上記定期券収納部に指を挿入して定期券を押し出す作業も不都合なく行うことができる。また、上記反射シートは光を反射する機能に加えて、ケース本体部やケースカバー部の装飾性を向上させることができる。
【００２０】
請求項３記載の本考案に係るパスケースは、上記反射シートは、異なる方向へ向いた多数のマイクロプリズムを用いて形成されていることから、光の反射角度が広く、反射輝度も高い。したがって、ドライバーによる反射光の視認性が良好で、ドライバーの注意喚起力も高めることができる。
【００２１】
請求項４記載の本考案に係るパスケースは、上記ケース本体部と上記ケースカバー部には折畳み状態で係合可能な雌雄一対のホックが設けられていることから、上記ケース本体部と上記ケースカバー部とを折り畳んだ状態で安易に開かないように固定することができる。したがって、上記ケース本体部の内側に形成した定期券収納部に定期券を収納すれば、その定期券に記載された個人情報を他人に知られないように保護することができる。
【００２２】
請求項５記載の本考案に係るパスケースは、上記ケース本体部と上記ケースカバー部の折曲部位には吊り下げ用のストラップが接続されていることから、上記ストラップを利用して携帯するバッグや衣服のベルト等に繋いで吊り下げながら所持することができる。したがって、反射板に光を当てるような姿勢でパスケースを手で所持しなければならないような煩雑さがない。
【考案を実施するための最良の形態】
【００２３】
以下、図面を用いて本発明の実施の形態について説明する。
本実施の形態に係るパスケース１１は、図１〜図４に示すように、定期券収納部１４，１５が設けられたケース本体部１２と、上記ケース本体部１２に対し折り畳み可能なケースカバー部１３とを有し、上記ケース本体部１２と上記ケースカバー部１３のそれぞれの外面部に反射シート１９，２３が設けられている。
また、図４に示すように、上記定期券収納部１４，１５は上記ケース本体部１２の内外両側にそれぞれ仕切板１６を介して形成され、上記仕切板１６の外側に形成された上記定期券収納部１５の外面部に方形の反射シート１９が配置され、上記反射シート１９の中央部に長円形の指挿通孔２０が形成されると共に、上記ケースカバー部１３の外面部における中央部に長円形の反射シート２３が配置されている。
また、上記反射シート１９，２３は、異なる方向へ向いた多数のマイクロプリズムを用いて形成されている。
また、図３及び図４に示すように、上記ケース本体部１２の内面側に形成された上記定期券収納部１４には透明な窓部２１が設けられると共に上記仕切板１６も透明に形成され、上記窓部２１と上記仕切板１６を通して、上記仕切板１６の外側に設けられた上記反射シート１９を、ケース本体部１２の内面側から透視しうるように形成されている。
また、図３に示すように、上記ケース本体部１２と上記ケースカバー部１３には折畳み状態で係合可能な雌雄一対のホック２４，２５が設けられている。
また、図１に示すように、上記ケース本体部１２と上記ケースカバー部１３の折曲部位には吊り下げ用のストラップ２６が接続されている。
【実施例１】
【００２４】
図は実施例に係るパスケース１１を示したものである。
本実施例に係るパスケース１１は、図１及び図２に示すように、方形に形成されたケース本体部１２と、上記ケース本体部１２よりも僅かに幅狭な方形に形成されたケースカバー部１３とが、中央部で折畳み可能に連設された構造を有している。
なお、上記ケース本体部１２とケースカバー部１３はプラスチックシートにより形成されている。しかしながら、素材はこれに限定されるものではない。
【００２５】
上記ケース本体部１２には、図１、図３及び図４に示すように、定期券収納部１４，１５が設けられている。
上記定期券収納部１４，１５は、図４に示すように、上記ケース本体部１２の内外両側にそれぞれ仕切板１６を介して形成されている。
上記仕切板１６は透明なプラスチックシートにより形成されている。
また、図１、図３及び図４に示すように、上記定期券収納部１４，１５はポケット状に形成され、一辺に定期券出入口１７，１８が設けられている。
【００２６】
図１に示すように、上記ケース本体部１２の外面部には反射シート１９が設けられている。
上記反射シート１９は、プラスチックにより形成され、上記仕切板１６の外側に形成された上記定期券収納部１５の外面部に配置されている。
上記反射シート１９は方形に形成され、その中央部には長円形の指挿通孔２０が形成されている。
【００２７】
図３に示すように、上記ケース本体部１２の内面側に設けられた上記定期券収納部１４には、透明なプラスチックシートで形成された窓部２１が設けられ、上記窓部２１の中央部にも長円形の指挿通孔２２が形成されている。
透明な上記窓部２１と、同じく透明に形成された上記仕切板１６により、上記仕切板１６の外側に設けられた上記反射シート１９は、図３に示すように、定期券が収納されていない場合には、上記窓部２１と上記仕切板１６を通して、ケース本体部１２の内面側から透視することができる。
【００２８】
図２に示すように、上記ケースカバー部１３には、外面部における中央部に長円形の反射シート２３が配置されている。
【００２９】
上記反射シート１９，２３は、図は省略するが、異なる方向へ向いた多数のマイクロプリズムを用いて形成されている。
なお、上記反射シート１９，２３として、反射角度が広く、反射輝度も高い「スティムソナイトＳ−９０００」（商品名）を使用している。
【００３０】
図３に示すように、上記ケース本体部１２と上記ケースカバー部１３には折畳み状態で係合可能な雌雄一対のホック２４，２５が設けられている。
【００３１】
また、図１に示すように、上記ケース本体部１２と上記ケースカバー部１３の折曲部位には、吊り下げ用のストラップ２６が接続されている。
上記ストラップ２６は、プラスチックにより伸縮可能なコイル状に形成され、その先端部にはフック部材２７が取り付けられている。
【００３２】
以下に、上記実施例の作用について説明する。
上記パスケース１１は、学童が塾等に通って、夜遅く暗くなってから帰宅する際に、使用することができる。
その場合、上記ストラップ２６の上記フック部材２７をバッグや衣服のベルト等に繋いで外部に吊り下げた状態で保持することができる。
【００３３】
上記パスケース１１を外部に露呈させた状態で保持しながら夜道を歩行している場合に、自動車のヘッドライトが上記パスケース１１の反射シート１９，２３に当たると、その光は反射してドライバーに視認され、ドライバーの注意力を喚起する。したがって、ドライバーは安全運転するようになり、歩行者の交通事故が防止される。
【００３４】
上記パスケース１１は、折畳み状態のケース本体部１２とケースカバー部１３の外面部にそれぞれ反射シート１９，２３が配置されているので、どちらの面が露呈していても、いずれかの反射シート１９，２３が露呈することになる。したがって、パスケース１１に光が当たれば、必ず反射光が生じることになる。
【００３５】
上記反射シート１９，２３は多数のマイクロプリズムを使用して形成されているので、反射角度が広く、反射輝度も高い。したがって、反射性能が高く、交通事故防止効果が顕著である。
【００３６】
上記パスケース１１は、ケース本体部１２の内外両側にそれぞれ定期券収納部１４，１５が形成され、ケース本体部１２とケースカバー１３とを折畳んだ状態を上記ホック２４，２５で固定しうるので、内側の定期券収納部１４に定期券を収納すれば、定期券に記載された個人情報が他人に覗き見られることを防止できる。
【００３７】
上記パスケース１１は上記ストラップ２６により吊り下げて保持することにより、光を反射できるので、手でパスケースを光に当たるように保持する煩雑がない。
【産業上の利用可能性】
【００３８】
本考案は、定期券を携帯できるパスケースに適用可能である。
【図面の簡単な説明】
【００３９】
【図１】本考案の実施例に係るパスケースの折畳状態におけるケース本体部側の斜視図である。
【図２】本考案の実施例に係るパスケースの折畳状態におけるケースカバー部側の斜視図である。
【図３】本考案の実施例に係るパスケースの展開状態における斜視図である。
【図４】本考案の実施例に係るパスケースのケース本体部の断面図である。
【符号の説明】
【００４０】
１１  パスケース
１２  ケース本体部
１３  ケースカバー部
１４  定期券収納部
１５  定期券収納部
１６  仕切版
１７  定期券出入口
１８  定期券出入口
１９  反射シート
２０  指挿通孔
２１  窓部
２２  指挿通孔
２３  反射シート
２４  ホック
２５  ホック
２６  ストラップ
２７  フック部材
【図１】
0003130906.tif 000003
【図２】
0003130906.tif 000004
【図３】
0003130906.tif 000005
【図４】
0003130906.tif 000006